(57)【要約】  サイトが、ランダムアクセス動作に用いられるリソースユニットを指示する第１の無線フレームを第１のアクセスポイントから受信することと、前記第１の無線フレームの送信アドレスが共通識別子または固有識別子である場合、前記サイトがランダムアクセス動作を行うことと、を含むネットワークアクセス方法、ネットワークアクセス装置、記憶媒体。【選択図】図１
2020518204.tif 000002
【特許請求の範囲】
【請求項１】
サイトが、ランダムアクセス動作に用いられるリソースユニットを指示する第１の無線フレームを第１のアクセスポイントから受信することと、
前記第１の無線フレームの送信アドレスが共通識別子または固有識別子である場合、前記サイトが、ランダムアクセス動作を行うことと、を含む、
ネットワークアクセス方法。
【請求項２】
前記サイトが１の無線フレームを受信する前に、前記第１のアクセスポイントから送信される第２の無線フレームを受信することをさらに含み、
前記第２の無線フレームに、前記第１のアクセスポイントがサポートする基本サービスセットの情報および／またはランダムアクセスパラメータが担持され、前記基本サービスセットの情報は前記共通識別子および前記固有識別子を含む、
請求項１に記載の方法。
【請求項３】
前記サイトが前記第１のアクセスポイントから送信される第２の無線フレームを受信した後に、
前記第２の無線フレームに担持されるランダムアクセスパラメータに基づき、コンテンションウィンドウのパラメータを設定し、周波数分割多重アクセス接続バックオフＯＢＯカウンタを初期化することをさらに含む、
請求項２に記載の方法。
【請求項４】
前記サイトが未関連サイトである場合、前記固有識別子が前記基本サービスセットにおける前記サイトの通信対象となる基本サービスセットの識別子であり、または、
前記サイトが未関連サイトである場合、前記共通識別子が前記基本サービスセットにおける全てのサイトと通信可能な基本サービスセットの識別子である、
請求項２に記載の方法。
【請求項５】
前記共通識別子は、前記基本サービスセットの伝送基本サービスセット識別子、または前記第１のアクセスポイントの媒体アクセス制御アドレス、または前記第１のアクセスポイントの媒体アクセス制御アドレスを演算して得られる値を含む、
請求項２に記載の方法。
【請求項６】
前記固有識別子は、前記基本サービスセットにおける前記サイトに関連する基本サービスセットの識別子であり、または、
前記共通識別子は、前記基本サービスセットにおける全てのサイトと通信可能な基本サービスセットの識別子である、
請求項２に記載の方法。
【請求項７】
前記サイトが前記１のアクセスポイントとランダムアクセス動作を行うことは、
前記サイトは、前記第１の無線フレームに担持されるリソースユニットの数に応じて、周波数分割多重アクセス接続バックオフＯＢＯカウンタをデクリメントし、前記ＯＢＯカウンタが０にデクリメントされ、かつ、検出条件を満たす場合、前記第１の無線フレームに担持されるリソースユニットから1つのリソースユニットを選択してデータを送信することを含む、
請求項１から６のいずれか１項に記載の方法。
【請求項８】
前記サイトが未関連サイトである場合、前記サイトは、ランダムアクセス動作を行う過程において、ランダムアクセスが完了するまで、第１のアクセスポイントのみとランダムアクセス動作を行う、
請求項１から５のいずれか１項に記載の方法。
【請求項９】
前記サイトが前記第１のアクセスポイントとランダムアクセス動作を行う過程において、
前記サイトは、第３の無線フレームを第２のアクセスポイントから受信し、前記第２のアクセスポイントが通知したランダムアクセスパラメータに基づき、コンテンションウィンドウのパラメータを再設定し、周波数分割多重アクセス接続バックオフＯＢＯカウンタを再初期化し、前記第３の無線フレームに担持されるパラメータに基づき、ランダムアクセス動作を行うことをさらに含む、
請求項１から５のいずれか１項に記載の方法。
【請求項１０】
ランダムアクセス動作に用いられるリソースユニットを指示する第１の無線フレームを第１のアクセスポイントから受信するための受信スモジュールと、
前記第１の無線フレームの送信アドレスが共通識別子または固有識別子である場合、ランダムアクセス動作を行うためのアクセスモジュールと、を備える、
ネットワークアクセス装置。
【請求項１１】
前記受信スモジュールは、さらに、前記第１のアクセスポイントから送信される第２の無線フレームを受信するために用いられ、前記第２の無線フレームに、前記第１のアクセスポイントがサポートする基本サービスセットの情報および／またはランダムアクセスパラメータが担持され、前記基本サービスセットの情報は前記共通識別子および前記固有識別子を含む、
請求項１０に記載の装置。
【請求項１２】
前記第２の無線フレームに担持されるランダムアクセスパラメータに基づき、コンテンションウィンドウのパラメータを設定し、周波数分割多重アクセス接続バックオフＯＢＯカウンタを初期化するための初期化スモジュールをさらに備える、
請求項１１に記載の装置。
【請求項１３】
前記装置が未関連サイトである場合、前記固有識別子が前記基本サービスセットにおける前記装置の通信対象となる基本サービスセットの識別子であり、または、
前記装置が未関連サイトである場合、前記共通識別子が前記基本サービスセットにおける全てのサイトと通信可能な基本サービスセットの識別子である、
請求項１１に記載の装置。
【請求項１４】
前記共通識別子は、前記基本サービスセットの伝送基本サービスセット識別子、または前記第１のアクセスポイントの媒体アクセス制御アドレス、または前記第１のアクセスポイントの媒体アクセス制御アドレスを演算して得られる値を含む、
請求項１１に記載の装置。
【請求項１５】
前記固有識別子は、前記基本サービスセットにおける前記装置に関連する基本サービスセットの識別子であり、または、
前記共通識別子は、前記基本サービスセットにおける全てのサイトと通信可能な基本サービスセットの識別子である、
請求項１１に記載の装置。
【請求項１６】
前記アクセスモジュールが前記１のアクセスポイントとランダムアクセス動作を行うことは、
前記第１の無線フレームに担持されるリソースユニットの数に応じて、周波数分割多重アクセス接続バックオフＯＢＯカウンタをデクリメントし、前記ＯＢＯカウンタが０にデクリメントされ、かつ、検出条件を満たす場合、前記第１の無線フレームに担持されるリソースユニットから1つのリソースユニットを選択してデータを送信することを含む、
請求項１０から１５のいずれか１項に記載の装置。
【請求項１７】
前記アクセスモジュールは、前記装置は未関連サイトである場合、ランダムアクセス動作を行う過程において、ランダムアクセスが完了するまで、第１のアクセスポイントのみとランダムアクセス動作を行う、
請求項１０から１４のいずれか１項に記載の装置。
【請求項１８】
第３の無線フレームを第２のアクセスポイントから受信し、前記第２のアクセスポイントが通知したランダムアクセスパラメータに基づき、コンテンションウィンドウのパラメータを再設定し、周波数分割多重アクセス接続バックオフＯＢＯカウンタを再初期化する前記初期化スモジュールと、
前記第３の無線フレームに担持されるパラメータに基づき、ランダムアクセス動作を行うことにも用いられる前記アクセスモジュールと、をさらに備える、
請求項１０から１４のいずれか１項に記載の装置。
【請求項１９】
メモリおよびプロセッサを備え、
前記メモリに、ランダムアクセス動作に用いられるリソースユニットを指示する第１の無線フレームを第１のアクセスポイントから受信する指令と、前記第１の無線フレームの送信アドレスが共通識別子または固有識別子である場合、ランダムアクセス動作を行う指令とが記憶され、
前記プロセッサは、前記メモリに記憶される指令を実行するために用いられる、
ネットワークアクセスの装置。
【請求項２０】
コンピューター実行可能指令が記憶され、前記コンピューター実行可能指令が実行されると、前記請求項１から９のいずれか１項に記載のネットワークアクセス方法を実現する、記憶媒体。
【発明の詳細な説明】
【技術分野】
【０００１】
本開示は、出願番号が２０１７１０２９６１７１.７であり、出願日が２０１７年０４月２８日である中国特許出願を基づいて提案され、該中国特許出願の優先権を出張し、該中国特許出願の全ての内容は、ここに参考として援用される。
【０００２】
本開示の実施例は、通信技術の分野に関するが、これに限定されない、特別に、ネットワークアクセス方法および装置、記憶媒体に関する。
【背景技術】
【０００３】
無線ローカルエリアネットワーク(Ｗｉｒｅｌｅｓｓ  Ｌｏｃａｌ  Ａｒｅａ  Ｎｅｔｗｏｒｋｓ、ＷＬＡＮ)の爆発的な応用に伴って、ＷＬＡＮネットワークの配置が集約になり、ネットワーク負荷も重くなり続き、且つ、ネットワークの増加に伴って、ネットワークのカバレッジ領域が重複するような状況もより深刻になる。ＷＬＡＮネットワークの効率が著しく低下する傾向があり、仮想的な無線チャネルを論理チャネルとしてサポートできる最大帯域幅を上げるだけでは、この問題を解決することができない。
【０００４】
上り・下り直交周波数分割多重アクセス(Ｏｒｔｈｏｇｏｎａｌ-ＦＤＭＡ、ＯＦＤＭＡ)技術、上り・下り複数ユーザ多入力多出力(Ｍｕｌｔｉｐｌｅ-Ｉｎｐｕｔ Ｍｕｌｔｉｐｌｅ Ｏｕｔｐｕｔ、ＭＩＭＯ)技術、またはこれらの組合せを含む複数ユーザ伝送技術は、ＷＬＡＮの効率を著しく向上させることができる。上りＯＦＤＭＡ技術において、アクセスポイント(Ａｃｃｅｓｓ Ｐｏｉｎｔ、ＡＰ)は、関連サイトまたは未関連サイト(Ｓｔａｔｉｏｎ、ＳＴＡ)のランダムアクセス（Ｒａｎｄｏｍ  Ａｃｃｅｓｓ）に用いられる１つまたは複数のリソースユニット(Ｒｅｓｏｕｒｃｅ Ｕｎｉｔ、ＲＵ)をスケジューリングするために、トリガフレーム（Ｔｒｉｇｇｅｒ）を送信することができる。トリガフレームでは、特定の指示を用いて、関連サイトまたは未関連サイトに、ランダムアクセスに用いられる１つまたは複数のリソースユニットを指示する。ＳＴＡは、ＡＰから送信されたトリガフレームによって指示される関連サイトまたは未関連サイトのランダムアクセスに用いられるリソースユニットを用いて、関連前の伝送を行い、関連サイトまたは未関連サイトによって伝送できるかどうかを判断することは、トリガフレームで指示される未関連サイトのランダムアクセスに用いられるリソースユニットのバックオフメカニズム及び搬送波検知(ｃａｒｒｉｅｒ ｓｅｎｓｅ、ＣＳ)に従う必要がある。
【０００５】
ＷＬＡＮでは、１つのＡＰ及びこのＡＰに関連する複数のｎｏｎ−ＡＰ ＳＴＡは、1つの基本サービスセット(Ｂａｓｉｃ  Ｓｅｒｖｉｃｅ  Ｓｅｔ、ＢＢＳ)を構成する。一般的には、1つのＡＰは1つのＢＢＳを起動し、このＢＢＳの識別子であるＢＢＳＩＤは、このＡＰのメディアアクセス制御(Ｍｅｄｉａ  Ａｃｃｅｓｓ  Ｃｏｎｔｒｏｌ、ＭＡＣ)アドレスである。ＷＬＡＮでは、1つのＡＰで複数のＢＢＳを仮想化(または配置)することが可能となる。複数のＢＢＳは、実際に1つのエンティティＡＰに対応し、このＡＰは、ビーコン(Ｂｅａｃｏｎ)フレームにてこれらのＢＢＳのパラメータを表示させ、または暗黙的にブロードキャストさせ、ＢＢＳＩＤ、ＳＳＩＤ等を保持する。これらのＢＢＳは1つの基本サービスセットを構成する。
【０００６】
複数ユーザ並行伝送の場合では、ＡＰは、自身のＢＢＳセットにおけるサイトをトリガし、上り複数ユーザ伝送を行う。しかしながら、この場合、どのようにトリガフレームを利用してランダムアクセスをトリガするかは、早急に解決すべき問題である。
【発明の概要】
【発明が解決しようとする課題】
【０００７】
ネットワークの衝突を低減させ、伝送効率を向上させるためのネットワークアクセス方法および装置。
【課題を解決するための手段】
【０００８】
サイトが、ランダムアクセス動作に用いられるリソースユニットを指示する第１の無線フレームを第１のアクセスポイントから受信することと、
前記第１の無線フレームの送信アドレスが共通識別子または固有識別子である場合、前記サイトが、ランダムアクセス動作を行うこととを含む、
ネットワークアクセス方法。
【０００９】
好ましくは、前記サイトが第１の無線フレームを受信する前に、前記第１のアクセスポイントから送信される第２の無線フレームを受信することをさらに含み、
前記第２の無線フレームに、前記第１のアクセスポイントがサポートする基本サービスセットの情報および／またはランダムアクセスパラメータが担持され、前記基本サービスセットの情報は前記共通識別子および前記固有識別子を含む。
【００１０】
好ましくは、前記第１のアクセスポイントから送信される第２の無線フレームを受信した後に、
前記第２の無線フレームに担持されるランダムアクセスパラメータに基づき、コンテンションウィンドウのパラメータを設定し、周波数分割多重アクセス接続バックオフＯＢＯカウンタを初期化することをさらに含む。
【００１１】
好ましくは、前記サイトが未関連サイトである場合、前記固有識別子が前記基本サービスセットにおける前記サイトの通信対象となる基本サービスセットの識別子であり、
前記サイトが未関連サイトである場合、前記共通識別子が前記基本サービスセットにおける全てのサイトと通信可能な基本サービスセットの識別子である。
【００１２】
好ましくは、前記共通識別子は、前記基本サービスセットの伝送基本サービスセット識別子、または前記第１のアクセスポイントの媒体アクセス制御アドレス、または前記第１のアクセスポイントの媒体アクセス制御アドレスを演算して得られる値を含む。
【００１３】
好ましくは、前記固有識別子が、前記基本サービスセットにおける前記サイトに関連する基本サービスセットの識別子であり、
前記共通識別子が、前記基本サービスセットにおける全てのサイトと通信可能な基本サービスセットの識別子である。
【００１４】
好ましくは、前記サイトが前記１のアクセスポイントとランダムアクセス動作を行うことは、
前記サイトが、前記第１の無線フレームに担持されるリソースユニットの数に応じて、周波数分割多重アクセス接続バックオフＯＢＯカウンタをデクリメントし、前記ＯＢＯカウンタが０にデクリメントされ、かつ、検出条件を満たす場合、前記第１の無線フレームに担持されるリソースユニットから1つのリソースユニットを選択してデータを送信することを含む。
【００１５】
好ましくは、前記サイトは未関連サイトである場合、前記サイトは、ランダムアクセス動作を行う過程において、ランダムアクセスが完了するまで、第１のアクセスポイントのみとランダムアクセス動作を行う。
【００１６】
好ましくは、前記サイトが前記第１のアクセスポイントとランダムアクセス動作を行う過程において、
前記サイトが、第３の無線フレームを第２のアクセスポイントから受信し、前記第２のアクセスポイントが通知したランダムアクセスパラメータに基づき、コンテンションウィンドウのパラメータを再設定し、周波数分割多重アクセス接続バックオフＯＢＯカウンタを再初期化し、前記第３の無線フレームに担持されるパラメータに基づき、ランダムアクセス動作を行うことをさらに含む。
【００１７】
ランダムアクセス動作に用いられるリソースユニットを指示する第１の無線フレームを第１のアクセスポイントから受信するように構成される受信スモジュールと、
前記第１の無線フレームの送信アドレスが共通識別子または固有識別子である場合、ランダムアクセス動作を行うように構成されるアクセスモジュールと、を備える、
ネットワークアクセス装置。
【００１８】
好ましくは、前記受信スモジュールは、さらに、前記第１のアクセスポイントから送信される第２の無線フレームを受信するように構成され、前記第２の無線フレームに、前記第１のアクセスポイントがサポートする基本サービスセットの情報および／またはランダムアクセスパラメータが担持され、前記基本サービスセットの情報は前記共通識別子および前記固有識別子を含む。
【００１９】
好ましくは、前記装置は、
前記第２の無線フレームに担持されるランダムアクセスパラメータに基づき、コンテンションウィンドウのパラメータを設定し、周波数分割多重アクセス接続バックオフＯＢＯカウンタを初期化するように構成される初期化スモジュールをさらに備える。
【００２０】
好ましくは、前記装置は未関連サイトである場合、前記固有識別子が前記基本サービスセットにおける前記装置の通信対象となる基本サービスセットの識別子であり、前記装置は未関連サイトである場合、前記共通識別子が前記基本サービスセットにおける全てのサイトと通信可能な基本サービスセットの識別子である。
【００２１】
好ましくは、前記共通識別子は、前記基本サービスセットの伝送基本サービスセット識別子、または前記第１のアクセスポイントの媒体アクセス制御アドレス、または前記第１のアクセスポイントの媒体アクセス制御アドレスを演算して得られる値を含む。
【００２２】
好ましくは、前記固有識別子は、前記基本サービスセットにおける前記装置に関連する基本サービスセットの識別子であり、前記共通識別子は、前記基本サービスセットにおける全てのサイトと通信可能な基本サービスセットの識別子である。
【００２３】
好ましくは、前記アクセスモジュールが前記１のアクセスポイントとランダムアクセス動作を行うことは、
前記第１の無線フレームに担持されるリソースユニットの数に応じて、周波数分割多重アクセス接続バックオフＯＢＯカウンタをデクリメントし、前記ＯＢＯカウンタが０にデクリメントされ、かつ、検出条件を満たす場合、前記第１の無線フレームに担持されるリソースユニットから1つのリソースユニットを選択してデータを送信することを含む。
【００２４】
好ましくは、前記装置は未関連サイトである場合、前記アクセスモジュールは、ランダムアクセス動作を行う過程において、ランダムアクセスが完了するまで、第１のアクセスポイントのみとランダムアクセス動作を行う。
【００２５】
好ましくは、前記装置は、
第３の無線フレームを第２のアクセスポイントから受信し、前記第２のアクセスポイントが通知したランダムアクセスパラメータに基づき、コンテンションウィンドウのパラメータを再設定し、周波数分割多重アクセス接続バックオフＯＢＯカウンタを再初期化する前記初期化スモジュールと、
前記第３の無線フレームに担持されるパラメータに基づき、ランダムアクセス動作を行うようにも構成される前記アクセスモジュールと、をさらに備える。
【００２６】
メモリおよびプロセッサを備え、
前記メモリに、ランダムアクセス動作に用いられるリソースユニットを指示する第１の無線フレームを第１のアクセスポイントから受信する指令と、前記第１の無線フレームの送信アドレスが共通識別子または固有識別子である場合、ランダムアクセス動作を行う指令とが記憶され、
前記プロセッサは、前記メモリに記憶される指令を実行するために用いられる、
ネットワークアクセス装置。
【００２７】
コンピューター実行可能指令が記憶され、前記コンピューター実行可能指令が実行されると、前記いずれかのネットワークアクセス方法が実現される、記憶媒体。
【００２８】
以上説明したように、本開示は、ネットワークの衝突を低減させ、伝送効率を向上させることができるネットワークアクセス方法および装置を提供する。
【図面の簡単な説明】
【００２９】
【図１】本開示に係る実施例におけるネットワークアクセス方法のフローチャートである。
【図２】本開示に係る実施例における関連サイトがＭｕｌｔｉｐｌｅ ＢＢＳＩＤの場合のランダムアクセス動作の模式図である。
【図３】本開示に係る実施例における未関連サイトがＭｕｌｔｉｐｌｅ ＢＢＳＩＤの場合のランダムアクセス動作の模式図である。
【図４】本開示に係る実施例における未関連サイトの周囲に２つのアクセスポイントが存在する模式図である。
【図５】本開示に係る実施例における未関連サイトの周囲に、Ｍｕｌｔｉｐｌｅ ＢＢＳＩＤをサポートしない２つのアクセスポイントが存在する場合のランダムアクセス動作の模式図である。
【図６】本開示に係る実施例における未関連サイトの周囲に２つのアクセスポイントが存在し、そのうちの1つはＭｕｌｔｉｐｌｅ ＢＢＳＩＤをサポートする場合のランダムアクセス動作の模式図である。
【図７】本開示に係る実施例におけるネットワークアクセス装置の模式図である。
【発明を実施するための形態】
【００３０】
本出願の目的、技術案、利点をより明確にするために、以下、本開示の実施例を添付の図面を参照して詳細に説明する。なお、矛盾がない限り、本出願に係る実施例および実施例の特徴は、互いに任意に組み合わせることができる。
【００３１】
実施例１
図１は、本開示に係る実施例におけるネットワークアクセス方法のフローチャートであり、図１に示すように、本実施例の方法は、以下のステップを含む。
【００３２】
ステップ１１において、サイトが、ランダムアクセス動作に用いられるリソースユニットを指示する第１の無線フレームを第１のアクセスポイントから受信する。
【００３３】
ステップ１２において、前記第１の無線フレームの送信アドレスは共通識別子またはこのサイトの固有識別子の場合、前記サイトは、ランダムアクセス動作を行う。
【００３４】
本開示に係る実施例における方法は、Ｍｕｌｔｉｐｌｅ ＢＢＳＩＤの場合の関連サイトおよび未関連サイトの動作形態を規定し、サイトがリソースユニットをより合理的に使用してランダムアクセス動作を行うことができるようにし、未関連サイトがランダムアクセス動作を行う場合の衝突が激しくなる問題を低減させ、ネットワーク性能を改善する。
【００３５】
一実施例において、前記サイトが第１の無線フレームを受信する前に、
前記第１のアクセスポイントから送信される第２の無線フレームを受信することをさらに含み、
前記第２の無線フレームに、前記アクセスポイントがサポートする基本サービスセットの情報および／またはランダムアクセスパラメータが担持され、前記基本サービスセットの情報は前記共通識別子および前記固有識別子を含む。
【００３６】
一実施例において、前記共通識別子は、前記基本サービスセットにおける全てのサイトと通信可能な基本サービスセットの識別子であり、前記固有識別子は、前記基本サービスセットにおける前記サイトと関連した基本サービスセットの識別子である。
【００３７】
一実施例において、前記共通識別子は、前記基本サービスセットの伝送基本サービスセット識別子、または前記第１のアクセスポイントの媒体アクセス制御アドレス、または前記第１のアクセスポイントの媒体アクセス制御アドレスを演算して得られる値を含む。
【００３８】
一実施例において、前記第１のアクセスポイントから送信される第２の無線フレームを受信した後に、
前記第２の無線フレームに担持されるランダムアクセスパラメータに基づき、コンテンションウィンドウのパラメータを設定し、周波数分割多重アクセス接続バックオフＯＢＯカウンタを初期化することをさらに含む。
【００３９】
一実施例において、前記サイトは未関連サイトである場合、前記共通識別子が前記基本サービスセットにおける全てのサイトと通信可能な基本サービスセットの識別子である。
前記サイトは未関連サイトである場合、前記固有識別子が前記基本サービスセットにおける前記サイトの通信対象となる基本サービスセットの識別子である。
前記サイトは未関連サイトである場合、前記サイトがランダムアクセス動作を行う過程において、ランダムアクセスが完了するまで(成功または失敗)、第１のアクセスポイントのみとランダムアクセス動作を行い、第２のアクセスポイントとはランダムアクセス動作を行わない。
【００４０】
一実施例において、前記サイトがランダムアクセス動作を行うことは、
前記サイトが、前記第１の無線フレームに担持されるリソースユニットの数に応じて、前記ＯＢＯカウンタをデクリメントし、前記ＯＢＯカウンタが０にデクリメントされ、かつ、検出条件を満たす場合、前記第１の無線フレームに担持されるリソースユニットから1つのリソースユニットを選択してデータを送信することを含む。
【００４１】
一実施例において、前記サイトがランダムアクセス動作を行う過程において、
前記サイトが、第３の無線フレームを第２のアクセスポイントから受信し、前記第２のアクセスポイントが通知したランダムアクセスパラメータに基づき、コンテンションウィンドウのパラメータを再設定し、周波数分割多重アクセス接続バックオフＯＢＯカウンタを再初期化し、前記第３の無線フレームに担持されるパラメータに基づき、ランダムアクセス動作を行うことをさらに含む。
【００４２】
以下、本開示の技術案は、具体的な実施例を詳細に説明する。
【００４３】
実施例２
ＡＰは、送信するＢｅａｃｏｎフレームまたはプローブ応答(Ｐｒｏｂｅ  Ｒｅｓｐｏｎｓｅ)フレームにおいて、自分が複数のＢＢＳＩＤをサポートすることをブロードキャストし、ビーコンフレームまたはプローブ応答フレームにおいて、サポートするＢＢＳＩＤのパラメータのセットを担持させる。
【００４４】
このＡＰは、サポートするＢＢＳＩＤの数が最大で２ｎであり、nは０以上の正の整数である。本実施例では、n＝３を例として、このＡＰは最大８個のＢＢＳＩＤをサポートすることができる。実際には、このＡＰは、そのうちの３つのＢＢＳＩＤを使用して３つのＢＢＳ(ＢＢＳ１、ＢＢＳ２、ＢＢＳ３)を確立し、これらの３つのＢＢＳによって、基本サービスセットが構成される。ＡＰは、ビーコンフレームまたはプローブ応答フレームにおいて、これらの３つのＢＢＳに対応するＢＢＳＩＤ、ＳＳＩＤ等の情報をブロードキャストし、前記n値も通知する。前記情報が担持されているビーコンフレームまたはプローブ応答フレームにおける送信アドレスで指示するＢＢＳＩＤは、伝送ＢＢＳＩＤ(ｔｒａｎｓｍｉｔｔｅｄ ＢＢＳＩＤ)、つまりこの基本サービスセットの伝送基本サービスセット識別子と呼ばれ、他のＢＢＳＩＤは非伝送ＢＢＳＩＤ(ｎｏｎｔｒａｎｓｍｉｔｔｅｄ ＢＢＳＩＤ)と呼ばれる。
【００４５】
このＡＰに関連するサイトは、ビーコンフレームまたはプローブ応答フレームを受信した後に、ＡＰがサポートするＭｕｌｔｉｐｌｅ ＢＢＳＩＤのセットのパラメータを取得する。これらパラメータに、共通識別子および固有識別子が含まれる。これらのフレームには、ンダムアクセスのパラメータがさらに含まれ、サイトは、これらのパラメータに基づき、コンテンションウィンドウを設定し、周波数分割多重アクセス接続バックオフ(Ｏｒｔｈｏｇｏｎａｌ ｆｒｅｑｕｅｎｃｙ  ｄｉｖｉｓｉｏｎ  Ｍｕｌｔｉｐｌｅ  ａｃｃｅｓｓ(ＯＦＤＭＡ)ｂａｃｋｏｆｆ、略してＯＢＯ)カウンタを初期化する。初期化の動作とは、０からコンテンションウィンドウまでの間に1つの整数をランダム選択し、ＯＢＯカウンタに与えることである。
【００４６】
このＡＰは、関連サイトのランダムアクセスに用いられる１つまたは複数のリソースユニットを指示するトリガフレームを送信する。トリガしようとする関連サイトは、それぞれＢＢＳ１(ＢＢＳＩＤ１に対応する)、ＢＢＳ２(ＢＢＳＩＤ２に対応する)、ＢＢＳ３(ＢＢＳＩＤ３に対応する)に属する。トリガフレームの送信アドレスが共通識別子とされ、ここで、共通識別子はＢＢＳＩＤ１である。
【００４７】
前記サイトは、トリガフレームを受信した後に、このフレームがトリガフレームであり、且つ、送信アドレスが自身に関連するＡＰの共通識別子、すなわち、伝送ＢＢＳＩＤであると判断した場合、サイトは、トリガフレームにスケジューリングされた、関連サイトに用いられるリソースユニットによって、ランダムアクセス工程を行う。
【００４８】
このＡＰは、関連サイトのランダムアクセスに用いられる１つまたは複数のリソースユニットを指示するトリガフレームを送信する。トリガしようとする関連サイトがＢＢＳ２からのものである場合、送信アドレスがＢＢＳ２のＢＢＳＩＤ２とされる。ＢＢＳ１、ＢＢＳ３に関連するサイトは、トリガフレームを受信した後に、このフレームがトリガフレームであり、このトリガフレームの送信アドレスに担持されるＢＢＳＩＤが自身に関連するＢＢＳＩＤ(固有識別子)または自身に関連するＡＰの共通識別子ではないと判断した場合、これらのサイトは、このトリガフレームにおいて指示される１つまたは複数のリソースユニットによって、ランダムアクセスを行うことができない。
【００４９】
ＢＢＳ２に関連するサイトは、トリガフレームを受信した後に、このフレームがトリガフレームであり、このトリガフレームの送信アドレスに担持されるＢＢＳＩＤが自身に関連するＢＢＳＩＤ(固有識別子)であると判断した場合、これらのサイトは、トリガフレームにおいて指示される１つまたは複数のリソースユニットによって、ランダムアクセスを行うことができる。
【００５０】
ＳＴＡ１はＢＢＳ１に関連付けられ、ＳＴＡ２、ＳＴＡ３はＢＢＳ２に関連付けられ、ＳＴＡ４はＢＢＳ３に関連付けられる。図２に示すように。ＡＰはトリガフレームを送信し、送信アドレスに担持されるものが共通識別子であり、ランダムアクセスのために、リソースユニットを５個スケジューリングした。
【００５１】
ＳＴＡ１は、前記トリガフレームを受信した後に、このトリガフレームに担持されるアドレスが関連ＡＰの共通識別子であり、ランダムアクセス動作を行うことができると判断する。ＯＢＯカウンタの現在の値は３であり、トリガフレームでスケジューリングされるランダムアクセスに用いられるリソースユニットの数よりも小さく、ＳＴＡ１のＯＢＯカウンタは０にデクリメントされ、ＳＴＡ１は、現在スケジューリングされた５個のランダムアクセスリソースユニットから、1つをランダムに選択し、他の条件を満たす場合、送信を行う。
【００５２】
ＳＴＡ２およびＳＴＡ３は、前記トリガフレームを受信した後に、このトリガフレームに担持されるアドレスがＡＰに関連する共通識別子であり、ランダムアクセス動作を行うことができると判断する。ＯＢＯカウンタの現在の値はそれぞれ７および６であり、トリガフレームでスケジューリングされたランダムアクセスに用いられるリソースユニットの数よりも大きく、ＳＴＡ２およびＳＴＡ３のＯＢＯカウンタは、それぞれ２および１にデクリメントされ、ＯＢＯカウンタは０にデクリメントされていないため、ＳＴＡ２およびＳＴＡ３は、このトリガフレームでスケジューリングされたリソースユニットを使用してランダムアクセスを行うことができない。
【００５３】
ＳＴＡ４は前記トリガフレームを受信した後に、このトリガフレームに担持されるアドレスがＡＰに関連する共通識別子であり、ランダムアクセス動作を行うことができると判断する。ＯＢＯカウンタの現在の値は５であり、トリガフレームでスケジューリングされたランダムアクセスに用いられるリソースユニットの数に等しい、ＳＴＡ４のＯＢＯカウンタは０にデクリメントされ、ＳＴＡ４は、現在スケジューリングされた５個のランダムアクセスリソースユニットから、1つをランダムに選択し、他の条件を満たす場合、送信を行う。
【００５４】
このＡＰは、トリガフレームを送信し、送信アドレスに担持されるものがＢＢＳＩＤ２であり、ランダムアクセスのために、４個のリソースユニットをスケジューリングする。
【００５５】
ＳＴＡ１およびＳＴＡ４は、このトリガフレームを受信し、このトリガフレームに担持されるアドレスがＡＰに関連する共通識別子でなく、自身に関連するＢＢＳの識別子でもないと判断した場合、サイトは、このトリガフレームでスケジューリングされたリソースユニットを使用してランダムアクセスを行うことができない。
【００５６】
ＳＴＡ２およびＳＴＡ３は、このトリガフレームを受信し、このトリガフレームに担持されるアドレスが自身に関連するＢＢＳのアドレス(すなわち、固有識別子)であり、ランダムアクセス動作を行うことができると判断する。ＳＴＡ２およびＳＴＡ３のＯＢＯカウンタは、それぞれ２および１であり、トリガフレームでスケジューリングされたランダムアクセスに用いられるリソースユニットの数よりも小さい。ＳＴＡ２およびＳＴＡ３のＯＢＯカウンタは、それぞれ０にデクリメントされ、ＳＴＡ２およびＳＴＡ３は、それぞれ現在スケジューリングされた５個のランダムアクセスリソースユニットから、1つをランダムに選択し、他の条件を満たす場合、送信を行う。
【００５７】
ＳＴＡ１、ＳＴＡ２、ＳＴＡ３、およびＳＴＡ４は、他のＡＰのトリガフレームを受信し、このトリガフレームに関連サイトに用いられるランダムアクセスリソースユニットが含まれているが、このトリガフレームにおける送信アドレスに担持されるアドレスは、ＡＰに関連する共通識別子でなく、自身に関連するＢＢＳの固有識別子でもないため、ＳＴＡ１は、ランダムアクセス動作を行うことができない。
【００５８】
実施例３
ＡＰは複数のＢＢＳＩＤ能力をサポートし、このＡＰは、サポートするＢＢＳＩＤの数が最大で２ｎであり、nは０以上の正の整数である。本実施例では、n＝３を例として、このＡＰは最大８個のＢＢＳＩＤをサポートすることができる。実際には、このＡＰは、そのうちの３つのＢＢＳＩＤ(ＢＢＳＩＤ１、ＢＢＳＩＤ２、ＢＢＳＩＤ３)を使用して３つのＢＢＳ(ＢＢＳ１、ＢＢＳ２、ＢＢＳ３)を確立し、これらの３つのＢＢＳによって、基本サービスセットが構成される。このＡＰは、ビーコンフレームまたはプローブ応答フレームにおいて、これらの３つのＢＢＳに対応するＢＢＳＩＤ、ＳＳＩＤ等の情報をブロードキャストし、前記n値もＡＰが通知する。前記情報が担持されるビーコンフレームまたはプローブ応答フレームにおける送信アドレスで指示するＢＢＳＩＤは、伝送ＢＢＳＩＤ(ｔｒａｎｓｍｉｔｔｅｄ ＢＢＳＩＤ)と呼ばれ、他のＢＢＳＩＤは非伝送ＢＢＳＩＤ(ｎｏｎｔｒａｎｓｍｉｔｔｅｄ ＢＢＳＩＤ)と呼ばれ、ここで、共通識別子は伝送ＢＢＳＩＤである。
【００５９】
このＡＰは、関連サイトのランダムアクセスに用いられる１つまたは複数のリソースユニットを指示するトリガフレームを送信する。このＡＰのトリガフレームにおいて、ＢＢＳ１、ＢＢＳ２、ＢＢＳ３に関連付けたいサイトのランダムアクセスをトリガするために、このトリガフレームの送信アドレスをこのＡＰの共通識別子(ここでの共通識別子が伝送ＢＢＳＩＤである)とする。
【００６０】
ＳＴＡ１は、このＡＰのカバレッジ領域において、アクティブなスキャニング(プローブ要求フレームの受信)またはパッシブなスキャニング(ビーコンフレームを受信)により、このＡＰのＢＢＳＩＤ２が自身の関連したいものであることを発見する。このＡＰは、複数のＢＢＳＩＤ能力をサポートし、このＡＰの共通識別子がＢＢＳＩＤ１であり、自身の関連したいＢＢＳ２のＢＢＳＩＤ２が固有識別子であることを発見する。
【００６１】
ＳＴＡ１は、このＡＰから送信されるトリガフレームを受信した後に、このトリガフレームの送信アドレスに基づき、この送信アドレスに担持されるのがＢＢＳＩＤ１であると判断する。ＳＴＡ１は、このＢＢＳＩＤが自身の関連したいＡＰの共通識別子と同一であると判断した場合、ＳＴＡ１は、このトリガフレームにおいて指示された未関連サイトに用いられる１つまたは複数のリソースユニットによって、ランダムアクセスを行うことができる。
【００６２】
このＡＰは、関連サイトのランダムアクセスに用いられる１つまたは複数のリソースユニットを指示するトリガフレームを送信する。このＡＰのトリガフレームにおいて、ＢＢＳ２に関連付けたいサイトのランダムアクセスをトリガするために、このトリガフレームの送信アドレスをＢＢＳ２のＢＢＳＩＤ(すなわちＢＢＳＩＤ２)とする。
【００６３】
ＳＴＡ１は、このＡＰから送信されるトリガフレームを受信した後に、このトリガフレームの送信アドレスにより、この送信アドレスに担持されるのがＢＢＳＩＤ２であると判断した場合、ＳＴＡ１は、このＢＢＳＩＤが自身の関連したいＢＢＳＩＤ(固有識別子)と同一であると判断した場合、ＳＴＡ１は、このトリガフレームにおいて指示された未関連サイトに用いられる１つまたは複数のリソースユニットによって、ランダムアクセスを行うことができる。
【００６４】
このＡＰは、未関連サイトのランダムアクセスに用いられる１つまたは複数のリソースユニットを指示するトリガフレームを送信する。ＡＰのトリガフレームにおいて、ＢＢＳ３に関連付けたいサイトのランダムアクセスをトリガするために、このトリガフレームの送信アドレスをＢＢＳ３のＢＢＳＩＤ(すなわちＢＢＳＩＤ３)とする。
【００６５】
ＳＴＡ１は、このＡＰから送信されるトリガフレームを受信した後に、このトリガフレームの送信アドレスにより、この送信アドレスに担持されるのがＢＢＳＩＤ３であると判断した場合、ＳＴＡ１は、このＢＢＳＩＤが自身の関連したいＡＰの共通識別子とが異なり、自身の関連したいＢＢＳＩＤ(固有識別子)とも異なると判断した場合、ＳＴＡ１は、このトリガフレームにおいて指示された未関連サイトに用いられる１つまたは複数のリソースユニットによって、ランダムアクセスを行うことができる。
【００６６】
ＳＴＡ１は、前記動作を行う前に、ＳＴＡ１は、アクティブなスキャニングまたはパッシブなスキャニングにより、このＡＰがサポートするランダムアクセスパラメータを知る。このＡＰがサポートするランダムアクセスパラメータに基づき、周波数分割多重アクセス(ＯＦＤＭＡ)コンテンションウィンドウを設定し、ＯＢＯカウンタを初期化する。
【００６７】
例えば、ＳＴＡ１は前記ＡＰのランダムアクセスパラメータに基づき、周波数分割多重アクセスコンテンションウィンドウを設定し、ＯＢＯカウンタを５に初期化する。
【００６８】
図３に示すように、ＡＰは、トリガフレーム送信し、このトリガフレームの送信アドレスが共通識別子(ここの共通識別子は伝送ＢＢＳＩＤである) )とするとともに、トリガフレームにおいて、未関連サイトのランダムアクセスに用いられるリソースユニットを３つ指示する。
【００６９】
ＳＴＡ１は、このトリガフレームを受信した後に、このトリガフレームの送信アドレスが自身の関連したいＡＰの共通識別子とされ、自身が関連したいＡＰの共通識別子または固有識別子のうちの1つであることを発見した場合、ＳＴＡ１は、このトリガフレームで指示された未関連サイトに用いられるランダムアクセスのリソースユニットによって、ランダムアクセス動作を行う。
【００７０】
ＳＴＡ１は、このトリガフレームに３つのリソースユニットが担持されていることを発見した場合、ＳＴＡ１のＯＢＯカウンタが２(現在の値が５であり-未関連サイトランダムアクセスに用いられるリソースユニットの数が３である) )とされる。ＯＢＯカウンタは、未関連サイトランダムアクセスに用いられるリソースユニットによって、1つを発見した場合、１をデクリメントするか、または、全ての未関連サイトランダムアクセスに用いられるリソースユニットの数を見つけて、まとめて減少するか、具体的な操作が限定されない。
【００７１】
ＡＰは、トリガフレームを送信し、このトリガフレームの送信アドレスをＢＢＳＩＤ３と設定し、そして、トリガフレームにおいて、未関連サイトのランダムアクセス動作に用いられる３つのリソースユニットを指示する。
【００７２】
ＳＴＡ１は、このトリガフレームを受信した後に、このトリガフレームの送信アドレスに担持されるアドレスが自身の関連したいＡＰの共通識別子(ＢＢＳＩＤ１)と固有識別子(ＢＢＳＩＤ２)とは異なることを発見した場合、ＳＴＡ１はランダムアクセス動作を行うことができない。
【００７３】
ＡＰは、トリガフレームを送信し、このトリガフレームの送信アドレスをＢＢＳＩＤ２と設定し、そして、トリガフレームにおいて、未関連サイトのランダムアクセス動作に用いられる４個のリソースユニットを指示する。
【００７４】
ＳＴＡ１は、このトリガフレームを受信した後に、このトリガフレームの送信アドレスに担持されるアドレスが自身の関連したいＡＰの固有識別子と同一であることを発見した場合、ＳＴＡ１はランダムアクセス動作を行う。
【００７５】
ＳＴＡ１は、このトリガフレームに４個のリソースユニットが担持されていることを発見し、トリガフレームに担持されるリソースユニットの数がＯＢＯカウンタの値よりも大きいため、ＳＴＡ１のＯＢＯカウンタを０とし、現在スケジューリングされた４個のランダムアクセスリソースユニットから、1つをランダムに選択し、他の条件を満たす場合、送信無線フレームの送信を行う。
【００７６】
ＳＴＡ１は、このＡＰとランダム操作を行う過程において、未関連サイトランダム操作に用いられるリソースユニットの指示を含む他のＡＰのトリガフレームを受信することがある。他のＡＰのランダムアクセスパラメータに基づき、コンテンションウィンドウを設定し、ＯＢＯカウンタを再初期化し、他のＡＰとランダムアクセス動作を行わない限り、ＳＴＡ１はこれらのＡＰとランダム操作を行うことができない。
【００７７】
実施例４
図４は、本開示に係る実施例における未関連サイトＳＴＡ１の周囲に２つのアクセスポイント(ＡＰ１とＡＰ２)が存在する模式図である。ＳＴＡ１は、この２つのアクセスポイントと関連前の通信を行いたい、例えば、２つのアクセスポイントがサポートするサービス(プリント、ビデオダウンロード等)、ＳＴＡ１の位置付け、関連等を知ることである。ここで、２つのＡＰは、いずれもＭｕｌｔｉｐｌｅ ＢＢＳＩＤ能力をサポートしていない。
【００７８】
ＳＴＡ１は、ＡＰ１またはＡＰ２から送信されたビーコンフレームまたはプローブ応答フレームによって、ＡＰ１またはＡＰ２がＭｕｌｔｉｐｌｅ ＢＢＳＩＤ能力をサポートしないことを発見する。この場合、２つのＡＰの共通識別子はいずれも空であり、固有識別子はＡＰのＭＡＣアドレスである。
【００７９】
ＡＰ１は、トリガフレームを送信し、このトリガフレームの送信アドレスをＡＰ１のＭＡＣアドレスと設定し、そして、トリガフレームにおいて、複数の未関連サイトのランダムアクセスに用いられるリソースユニットを指示する。
【００８０】
ＳＴＡ１は、このトリガフレームを受信した後に、このトリガフレームの送信アドレスに担持されるアドレスが自身の通信したいＡＰのＭＡＣアドレス(固有識別子)と同一であることを発見した場合、ＳＴＡ１は、このトリガフレームにおいて指示された未関連サイトに用いられるリソースユニットによって、ランダムアクセス動作を行う。
【００８１】
ＡＰ２は、トリガフレームを送信し、このトリガフレームの送信アドレスをＡＰ２のＭＡＣアドレスとし、トリガフレームにおいて、複数の未関連サイトのランダムアクセスに用いられるリソースユニットを指示する。
【００８２】
ＳＴＡ１は、このトリガフレームを受信した後に、このトリガフレームの送信アドレスが担持されるアドレスは、自身と通信しているＡＰのＭＡＣアドレス(固有識別子)と異なることを発見した場合、ＳＴＡ１は、このトリガフレームにおいて指示された未関連サイトに用いられるリソースユニットによって、ランダムアクセス動作を行うことができない。この場合、共通識別子が空であるため、他の共通識別子を受信しても、ランダムアクセス動作を行うことができない。
【００８３】
ＳＴＡ１は、ＡＰ２と関連前の通信を行うために、ＡＰ１との通信を完了した後に、またはＡＰ１に基づくランダムアクセス動作を中止してから、ＡＰ２のパラメータに基づくコンテンションウィンドウの設定を再び行い、ＯＢＯカウンタ値を初期化する必要がある。
【００８４】
前記操作を行う前に、ＳＴＡ１は、ＡＰ１およびＡＰ２のランダムアクセスパラメータを知る必要がある。
【００８５】
図５に示すように、ＡＰ１は、トリガフレームを送信し、このトリガフレームの送信アドレスをＡＰ１のＭＡＣアドレスとし、トリガフレームにおいて、未関連サイトのランダムアクセスに用いられる３つのリソースユニットを指示する。
【００８６】
ＳＴＡ１は、このトリガフレームを受信した後に、このトリガフレームの送信アドレスに担持されるアドレスが自身の通信したいＡＰのＭＡＣアドレスと同一であることを発見し、ＳＴＡ１は、ＡＰ１のパラメータに基づき、周波数分割多重アクセス(ＯＦＤＭＡ)コンテンションウィンドウを設定し、ＯＢＯカウンタを初期化して、初期値が６である。ここで、ＳＴＡ１がコンテンションウィンドウを設定してＯＢＯカウンタ値を初期化する操作は、ＡＰ１のトリガフレームを受信した後に行われてもよいし、ＡＰ１のトリガフレームを受信する前に行われてもよい。
【００８７】
ＳＴＡ１がＡＰ１のトリガフレーム受信した後に、ＳＴＡ１は、このトリガフレームにおいて、３つのリソースユニットが担持されていることを発見した場合、ＳＴＡ１のＯＢＯカウンタが３(現在の値が６であり、未関連サイトランダムアクセスに用いられるリソースユニットの数が３である) )とされる。ＯＢＯカウンタは、未関連サイトランダムアクセスに用いられるリソースユニットによって、1つを発見する毎にデクリメントするか、または、全ての未関連サイトランダムアクセスに用いられるリソースユニットの数を見つけてからまとめて減少するか、具体的な操作が限定されない。
【００８８】
ＡＰ２は、トリガフレームを送信し、このトリガフレームの送信アドレスをＡＰ２のＭＡＣアドレスとし、トリガフレームにおいて、未関連サイトのランダムアクセスに用いられる５個のリソースユニットを指示する。
【００８９】
ＳＴＡ１は、ＡＰ２のトリガフレームを受信した後に、このトリガフレームの送信アドレスに担持されるアドレスが自身の通信したいＡＰのＭＡＣアドレスと異なることを発見した場合、ＳＴＡ１は、このトリガフレームにおいて指示された未関連サイトに用いられるリソースユニットによって、ランダムアクセス動作を行うことができない。
【００９０】
ＡＰ１は、トリガフレームを送信し、このトリガフレームの送信アドレスをＡＰ１のＭＡＣアドレスとし、トリガフレームにおいて、未関連サイトのランダムアクセスに用いられる４つのリソースユニットを指示する。
【００９１】
ＳＴＡ１は、このトリガフレームを受信した後に、このトリガフレームの送信アドレスに担持されるアドレスが自身の通信したいＡＰのＭＡＣアドレスと同一であることを発見した場合、ＳＴＡ１のＯＢＯカウンタが０(ＯＢＯカウンタの現在の値３が、トリガフレームにおいて指示された未関連サイトランダムアクセス動作に用いられるリソースユニットの数４よりも小さい) とし、ＳＴＡ１は、それぞれ現在スケジューリングされた４つのランダムアクセスリソースユニットから1つをランダムに選択し、他の条件を満たす場合、送信を行う。
【００９２】
前記操作において、ＳＴＡ１は、ＡＰ２のトリガフレームを受信した後に、ＡＰ１に基づくランダムアクセス動作を中止することができる。ＡＰ２のランダムアクセスパラメータに基づき、周波数分割多重アクセス(ＯＦＤＭＡ)コンテンションウィンドウを設定し、ＯＢＯカウンタを初期化し、ＡＰ２に基づいてランダムアクセス動作を行う。
【００９３】
前記操作において、実現する時に、ＡＰ１およびＡＰ２のランダムアクセス動作を同時に行ってもよいが、この場合、異なるコンテンションウィンドウ、ＯＢＯカウンタを対応して、各ＡＰとランダムアクセス動作を行う。あるＡＰのランダムアクセスリソースユニットを受信し、このＡＰに対応するＯＢＯカウンタをデクリメントする。どのＡＰに対応するＯＢＯカウンタが０にデクリメントすると、該当する無線フレームをそのＡＰに伝送することができる。
【００９４】
実施例５
図４は、本開示に係る実施例における未関連サイトＳＴＡ１の周囲に２つのアクセスポイント(ＡＰ１とＡＰ２)が存在する模式図である。ＳＴＡ１は、この２つのアクセスポイントと関連前の通信を行いたい。例えば、２つのアクセスポイントがサポートするサービス(プリント、ビデオダウンロード等)、ＳＴＡ１の位置付け、関連等を知りたい。
【００９５】
ここで、ＡＰ１はＭｕｌｔｉｐｌｅ ＢＢＳＩＤ能力をサポートし、ＡＰ２はＭｕｌｔｉｐｌｅ ＢＢＳＩＤ能力をサポートしない。ＡＰ１は複数ＢＢＳＩＤ能力をサポートし、このＡＰがサポートするＢＢＳＩＤの数は最大で２ｎであり、nは０以上の正の整数である。本実施例では、n＝３を例として、このＡＰは最大８個のＢＢＳＩＤをサポートすることができる。実際には、このＡＰは、そのうちの２つのＢＢＳＩＤを使用して２つのＢＢＳ(ＢＢＳ１、ＢＢＳ２)を確立する。ＡＰは、ビーコンフレームまたはプローブ応答フレームにおいて、これらの２つのＢＢＳに対応するＢＢＳＩＤ、ＳＳＩＤ等の情報をブロードキャストし、前記n値もＡＰが通知する。前記情報が担持されるビーコンフレームまたはプローブ応答フレームにおける送信アドレスで指示するＢＢＳＩＤは、伝送ＢＢＳＩＤと呼ばれ、他のＢＢＳＩＤは非伝送ＢＢＳＩＤと呼ばれ。 ＡＰ１はＢＢＳＩＤ１を伝送ＢＢＳＩＤ、すなわち共通識別子とする。
【００９６】
ＳＴＡ１は、ＡＰ１またはＡＰ２から送信されるビーコンフレームまたはプローブ応答フレームによって、ＡＰ１の共通識別子がＢＢＳＩＤ１であり、固有識別子がＢＢＳＩＤ２(自身の関連したいＢＢＳＩＤ)であることを発見する。ＡＰ２はＭｕｌｔｉｐｌｅ ＢＢＳＩＤ能力をサポートしない。この場合、ＡＰ２の共通識別子はいずれも空であり、固有識別子はＡＰのＭＡＣアドレスである。
【００９７】
ＡＰ１は、トリガフレームを送信し、このトリガフレームの送信アドレスをＢＢＳＩＤ１とし、トリガフレームにおいて、複数の未関連サイトのランダムアクセスに用いられるリソースユニットを指示する。
【００９８】
ＳＴＡ１は、このトリガフレームを受信した後に、このトリガフレームの送信アドレスに担持されるアドレスが自身の通信したいＡＰの共通識別子と同一であることを発見した場合、ＳＴＡ１は、このトリガフレームにおいて指示された未関連サイトに用いられるリソースユニットによって、ランダムアクセス動作を行う。
【００９９】
ＡＰ２は、トリガフレームを送信し、このトリガフレームの送信アドレスをＡＰ２のＭＡＣアドレスとし、トリガフレームにおいて、複数の未関連サイトのランダムアクセス動作に用いられるリソースユニットを指示する。
【０１００】
ＳＴＡ１は、このトリガフレームを受信した後に、このトリガフレームの送信アドレスに担持されるアドレスが自身と通信しているＡＰのＭＡＣアドレスと異なることを発見した場合、ＳＴＡ１は、このトリガフレームにおいて指示された未関連サイトに用いられるリソースユニットによって、ランダムアクセス動作を行うことができない。
【０１０１】
ＳＴＡ１は、ＡＰ２と関連前の通信を行うために、ＡＰ１と通信を完了した後に、またはＡＰ１に基づくランダムアクセス動作を中止してから、ＡＰ２のパラメータに基づくコンテンションウィンドウの設定を再び行い、ＯＢＯカウンタ値を初期化する必要がある。
【０１０２】
前記操作を行う前に、ＳＴＡ１は、ＡＰ１およびＡＰ２のランダムアクセスパラメータを知る必要がある。
【０１０３】
図６に示すように、ＡＰ１は、トリガフレームを送信し、このトリガフレームの送信アドレスをＡＰ１の共通識別子とし、トリガフレームにおいて、未関連サイトのランダムアクセスに用いられる３つのリソースユニットを指示する。
【０１０４】
ＳＴＡ１は、このトリガフレームを受信した後に、このトリガフレームの送信アドレスに担持されるアドレスが自身の通信したいＡＰの共通識別子と同一であることを発見し、ＳＴＡ１は、ＡＰ１のパラメータに基づき、周波数分割多重アクセス(ＯＦＤＭＡ)コンテンションウィンドウを設定し、ＯＢＯカウンタを初期化して、初期値が６である。ここで、ＳＴＡ１がコンテンションウィンドウを設定しＯＢＯカウンタ値を初期化する操作は、ＡＰ１のトリガフレームを受信した後に行われてもよいし、 ＡＰ１のトリガフレームを受信する前に行われてもよい。
【０１０５】
ＳＴＡ１がＰ１のトリガフレームを受信した後に、ＳＴＡ１は、このトリガフレームにおいて、３つのリソースユニットが担持されていることを発見した場合、ＳＴＡ１のＯＢＯカウンタが３(現在の値が６であり、未関連サイトランダムアクセスに用いられるリソースユニットの数が３である) )とされる。ＯＢＯカウンタは、未関連サイトランダムアクセスに用いられるリソースユニットによって、1つを発見する毎にデクリメントするか、または、全ての未関連サイトランダムアクセスに用いられるリソースユニットの数を見つけてからまとめて減少されるか、具体的な操作が限定されない。
【０１０６】
ＡＰ２は、トリガフレームを送信し、このトリガフレームの送信アドレスをＡＰ２のＭＡＣアドレスとし、トリガフレームにおいて、未関連サイトのランダムアクセスに用いられる５個のリソースユニットを指示する。
【０１０７】
ＳＴＡ１は、ＡＰ２のトリガフレームを受信した後に、このトリガフレームの送信アドレスに担持されるアドレスが自身の通信したいＡＰのＭＡＣアドレスと異なることを発見した場合、ＳＴＡ１は、このトリガフレームにおいて指示された未関連サイトに用いられるリソースユニットによって、ランダムアクセス動作を行うことができない。
【０１０８】
ＡＰ１は、トリガフレームを送信し、このトリガフレームの送信アドレスをＢＢＳＩＤ２(固有識別子)とし、トリガフレームにおいて、未関連サイトのランダムアクセスに用いられる４つのリソースユニットを指示する。
【０１０９】
ＳＴＡ１は、このトリガフレームを受信した後に、このトリガフレームの送信アドレスに担持されるアドレスが自身の通信したい固有識別子と同一であることを発見した場合、ＳＴＡ１のＯＢＯカウンタが０(ＯＢＯカウンタの現在の値３が、トリガフレームにおいて指示された未関連サイトランダムアクセス動作に用いられるリソースユニットの数４よりも小さい)とし、ＳＴＡ１はそれぞれ現在スケジューリングされた４つのランダムアクセスリソースユニットから1つをランダムに選択し、他の条件を満たす場合、送信を行う。
【０１１０】
前記操作において、ＳＴＡ１は、ＡＰ２のトリガフレームを受信した後に、ＡＰ１に基づくランダムアクセス動作を中止することができる。ＡＰ２のランダムアクセスパラメータに基づき、周波数分割多重アクセス(ＯＦＤＭＡ)コンテンションウィンドウを設定し、周波数分割多重アクセス接続バックオフカウンタを初期化し、ＡＰ２に基づいてランダムアクセス動作を行う。
【０１１１】
実施例６
図７は、本開示に係る実施例におけるネットワークアクセス装置の模式図であり、図７に示すように、本実施例の装置は、
ランダムアクセス動作に用いられるリソースユニットを指示する第１の無線フレームを第１のアクセスポイントから受信するように構成される受信スモジュールと、
前記第１の無線フレームの送信アドレスが共通識別子または固有識別子である場合、ランダムアクセス動作を行うように構成されるアクセスモジュールとを備える。
【０１１２】
一実施例において、前記受信スモジュールは、さらに、前記第１のアクセスポイントから送信される第２の無線フレームを受信するように構成され、前記第２の無線フレームに、前記第２のアクセスポイントがサポートする基本サービスセットの情報および／またはランダムアクセスパラメータが担持され、前記基本サービスセットの情報は前記共通識別子および前記固有識別子を含む。
【０１１３】
一実施例において、前記装置は、
前記第２の無線フレームに担持されるランダムアクセスパラメータに基づき、コンテンションウィンドウのパラメータを設定し、周波数分割多重アクセス接続バックオフＯＢＯカウンタを初期化するように構成される初期化スモジュールをさらに備える。
【０１１４】
一実施例において、前記装置は未関連サイトである場合、前記固有識別子が前記基本サービスセットにおける前記サイトの通信対象となる基本サービスセットの識別子であり、前記装置は未関連サイトである場合、前記共通識別子が前記基本サービスセットにおける全てのサイトと通信可能な基本サービスセットの識別子である。
【０１１５】
前記サイトは未関連サイトである場合、前記サイトがランダムアクセス動作を行う過程において、ランダムアクセスが完了するまで(成功または失敗)、第１のアクセスポイントのみとランダムアクセス動作を行い、第２のアクセスポイントとランダムアクセス動作を行わない。
【０１１６】
一実施例において、前記共通識別子は、前記基本サービスセットの伝送基本サービスセット識別子、または前記第１のアクセスポイントの媒体アクセス制御アドレス、または前記第１のアクセスポイントの媒体アクセス制御アドレスを演算して得られる値を含む。
【０１１７】
一実施例において、前記固有識別子は、前記基本サービスセットにおける前記装置に関連する基本サービスセットの識別子であり、前記共通識別子は、前記基本サービスセットにおける全てのサイトと通信可能な基本サービスセットの識別子である。
【０１１８】
一実施例において、前記アクセスモジュールは、前記第１の無線フレームに担持されるリソースユニットの数に応じて、周波数分割多重アクセス接続バックオフＯＢＯカウンタをデクリメントし、前記ＯＢＯカウンタが０にデクリメントされ、かつ、検出条件を満たす場合、前記第１の無線フレームに担持されるリソースユニットから1つのリソースユニットを選択してデータを送信することを含むランダムアクセス動作を行う。
【０１１９】
一実施例において、前記装置は、
第３の無線フレームを第２のアクセスポイントから受信し、前記第２のアクセスポイントが通知したランダムアクセスパラメータに基づき、コンテンションウィンドウのパラメータを再設定し、周波数分割多重アクセス接続バックオフＯＢＯカウンタを再初期化する前記初期化スモジュールをさらに備える。
【０１２０】
本出願実施例は、メモリおよびプロセッサを備え、
前記メモリに、ランダムアクセス動作に用いられるリソースユニットを指示する第１の無線フレームを第１のアクセスポイントから受信する指令と、前記第１の無線フレームの送信アドレスが共通識別子または固有識別子である場合、ランダムアクセス動作を行う指令とが記憶され、
前記プロセッサは、前記メモリに記憶される指令を実行ために用いられる、ネットワークアクセス装置をさらに提供する。
【０１２１】
本出願実施例は、コンピューター実行可能な指令が記憶され、前記コンピューター実行可能指令が実行されると、前記ネットワークアクセス方法を実現するコンピューター読み取り可能な記憶媒体をされに提供する。
【０１２２】
当業者であれば、前記方法におけるステップの全てまたは部分が、プログラムにより、関連するハードウェアに指令し完成することができ、前記プログラムはコンピューター読み取り可能な記憶媒体に記憶することができ、例えば、読み出し専用メモリ、磁気ディスク、光ディスク等であることは明らかである。好ましくは、前記実施例のステップの全てまたは部分は、1つまたは複数の集積回路を使用して実装されてもよい。従って、前記実施例における各スモジュール/ユニットは、ハードウェアとして実現されてもよいし、ソフトウェア機能モジュールとして実現されてもよい。本開示は、ハードウェアとソフトウェアのいかなる特定の形態の組み合わせにも限定されない。
【０１２３】
以上は本開示の好ましい実施例に過ぎず、本開示が他の多種類の実施例を有することが当然であり、本開示の精神およびその本質から逸脱することなく、当業者であれば、本開示によって様々な対応する変更および変形を行うことができるが、これらの対応する変更および変形はいずれも本開示に添付された請求項の保護範囲に属するものとする。
【産業上の利用可能性】
【０１２４】
本出願の実施例は、サイトにより、ランダムアクセス動作に用いられるリソースユニットを指示する第１の無線フレームを第１のアクセスポイントから受信し、前記第１の無線フレームの送信アドレスが共通識別子または固有識別子である場合、前記サイトは、ランダムアクセス動作を行う。ネットワークの衝突を低減させ、伝送効率を向上させることができる。
【図１】
2020518204.tif 000003
【図２】
2020518204.tif 000004
【図３】
2020518204.tif 000005
【図４】
2020518204.tif 000006
【図５】
2020518204.tif 000007
【図６】
2020518204.tif 000008
【図７】
2020518204.tif 000009
【国際調査報告】
2020518204.tif 000010
2020518204.tif 000011
2020518204.tif 000012
2020518204.tif 000013